(57)【要約】【課題】店舗内において商品の広告や売り出しセールの予告等店舗の情報を効果的に配信することができるシステムを提供することを目的とする。【解決手段】本発明の情報配信システムは、ネットワークに接続される、情報蓄積送出ユニットＡと、情報表示端末Ｂと、システム管理機構のもとにある情報配信サーバＣと、本部端末Ｄと、を有し、情報配信サーバＣは、本部端末Ｄから配信される店舗情報に、一般広告情報を加えて、該店舗情報及び一般広告情報をネットワークを介して情報蓄積送出ユニットＡに配信し、情報蓄積送出ユニットＡは、情報配信サーバＣから配信された一般広告情報及び店舗情報を保存蓄積するとともに情報表示端末Ｂに送出し、情報表示端末Ｂは、情報蓄積送出ユニットＡから送出された一般広告情報及び店舗情報を表示する。【選択図】図７
2006018609.tif 000002
【特許請求の範囲】
【請求項１】
ネットワークに接続される、情報蓄積送出ユニットと、情報表示端末と、システム管理機構のもとにある情報配信サーバと、本部端末と、を有し、
情報配信サーバは、本部端末から配信される店舗情報に、一般広告情報を加えて、該店舗情報及び一般広告情報をネットワークを介して情報蓄積送出ユニットに配信し、情報蓄積送出ユニットは、情報配信サーバから配信された一般広告情報及び店舗情報を保存蓄積するとともに情報表示端末に送出し、
情報表示端末は、情報蓄積送出ユニットから送出された一般広告情報及び店舗情報を表示することを特徴とする情報配信システム。
【請求項２】
チェーンを形成する店舗のそれぞれに設置される情報蓄積送出ユニット及び情報表示端末と、システム管理機構のもとにある情報配信サーバと、チェーン本部端末とがネットワークを介して接続されるものであって、
チェーン本部端末は、店舗情報をネットワークを介して情報配信サーバに配信し、
情報配信サーバは、一般広告情報及び店舗情報を保存蓄積し、該一般広告情報及び店舗情報をネットワークを介して情報蓄積送出ユニットに配信し、
情報蓄積送出ユニットは、情報配信サーバから配信された一般広告情報及び店舗情報を情報表示端末に送出し、
情報表示端末は、情報蓄積送出ユニットから送出された一般広告情報及び店舗情報を表示することを特徴とする情報配信システム。
【請求項３】
情報配信サーバは、情報蓄積送出ユニットに情報を送出するにあたり、情報表示端末における一般広告情報及び店舗情報の表示順番、表示間隔などの表示条件を設定する機能を備えるものである請求項１又は２に記載の情報配信システム。
【請求項４】
情報配信サーバは、一般広告情報及び店舗情報を交互に表示するように設定する請求項３記載の情報配信システム。
【請求項５】
情報配信サーバは、一般広告情報及び店舗情報それぞれの表示時間枠を設定し、それぞれの情報の表示時間が、それぞれの所定時間枠に収まるように該いずれかの情報を選択して設定する請求項４記載の情報配信システム。
【請求項６】
情報蓄積送出ユニットは、情報表示端末の設置された店舗独自の自店舗情報を登録蓄積し、店舗情報の時間枠内で情報表示端末へ送出する請求項１〜５のいずれかに記載の情報配信システム。
【請求項７】
情報蓄積送出ユニットは、店舗情報の表示時間枠において、店舗共通広告情報及び自店舗情報が交互に表示するように設定する請求項６に記載の情報配信システム。
【請求項８】
情報表示端末は、店舗内のサッカー台上に設置される請求項１〜７のいずれかに記載の情報配信システム。
【発明の詳細な説明】
【技術分野】
【０００１】
本発明は、情報配信システムに関し、広告などの情報を表示端末に配信するシステムに関し、詳しくは、複数の表示端末に、本部からの情報に情報配信サーバからの情報を加えて表示する情報配信システムに関する。
また、スーパーマーケット等の店舗内の表示端末に、一般広告と自社広告とを交互に表示するように配信する情報配信システムに関する。
さらに、サッカー台（レジ通過後に袋詰めする台）などに設置される情報表示端末Ａを利用して商品や店舗の広告を効果的に配信することができる情報配信システムに関する。
【背景技術】
【０００２】
従来、店舗内における商品の広告や売り出しセールの予告等店舗の情報は、例えばスーパーマーケット等のチェーンの場合、チラシ広告をレジ近傍に張り出す、或いは店舗出入口のそばのラックなど来店した客の目に留まる箇所に置いておく、といったことで行われていた。
しかしながら、広告を目にする客は限られていたことから、来店する客の多くに店舗の広告を行い、効率良く広告効果を得るシステムの構築が望まれていた。
例えば、特許文献１は、インターネットやローカルエリアネットワークを利用して広告を配信する広告配信サーバ及び広告配信方法を提供することを目的とし、広告主データベースに記録された複数の広告主に関連する簡易広告画像をブラウザ画面上で一定時間間隔をおいて循環的に切替表示し、ブラウザ画面上で特定の簡易広告画像がクリックされたとき、広告主データベースに記録された当該広告主の専用広告ページをブラウザ画面上に表示することが記載されている。
【特許文献１】特開２００２−２２２３６３
【発明の開示】
【発明が解決しようとする課題】
【０００３】
特許文献１の広告配信方法は、単に、複数の広告主の簡易広告画像をブラウザ画面上で一定時間間隔をおいて循環的に切替表示するのみであり、情報配信サーバ側の一般情報と、自社本部情報と、各店舗の独自情報とを、一定の時間枠を設定して切替表示するものではない。また、詳細情報を表示するためには、閲覧者がブラウザ画面上で特定の簡易広告画像をクリックする必要がある。
そこで、本発明は、上記課題を解決するために、店舗内において商品の広告や売り出しセールの予告等店舗の情報を効果的に配信することができるシステムを提供することを目的とする。
【課題を解決するための手段】
【０００４】
本発明者らは、所定の情報蓄積送出ユニット及び情報表示端末を店舗内に設置し、情報表示端末において一般広告情報及び店舗情報を表示するシステムを構築することにより、上記目的を達成できることを見出し、本発明に到達した。
【０００５】
本発明の請求項１に記載の情報配信システムは、ネットワークに接続される、情報蓄積送出ユニットと、情報表示端末と、システム管理機構のもとにある情報配信サーバと、本部端末と、を有し、情報配信サーバは、本部端末から配信される店舗情報に、一般広告情報を加えて、該店舗情報及び一般広告情報をネットワークを介して情報蓄積送出ユニットに配信し、情報蓄積送出ユニットは、情報配信サーバから配信された一般広告情報及び店舗情報を保存蓄積するとともに情報表示端末に送出し、情報表示端末は、情報蓄積送出ユニットから送出された一般広告情報及び店舗情報を表示することを特徴とする。
請求項２に記載の情報配信システムは、チェーンを形成する店舗のそれぞれに設置される情報蓄積送出ユニット及び情報表示端末と、システム管理機構のもとにある情報配信サーバと、チェーン本部端末とがネットワークを介して接続されるものであって、チェーン本部端末は、店舗情報をネットワークを介して情報配信サーバに配信し、情報配信サーバは、一般広告情報及び店舗情報を保存蓄積し、該一般広告情報及び店舗情報をネットワークを介して情報蓄積送出ユニットに配信し、情報蓄積送出ユニットは、情報配信サーバから配信された一般広告情報及び店舗情報を情報表示端末に送出し、情報表示端末は、情報蓄積送出ユニットから送出された一般広告情報及び店舗情報を表示することを特徴とする。
請求項３に記載の情報配信システムは、請求項１又は２において、情報配信サーバが、情報蓄積送出ユニットに情報を送出するにあたり、情報表示端末における一般広告情報及び店舗情報の表示順番、表示間隔などの表示条件を設定する機能を備えるものであることを特徴とする。
請求項４に記載の情報配信システムは、請求項３において、情報配信サーバが、一般広告情報及び店舗情報を交互に表示するように設定することを特徴とする。
請求項５に記載の情報配信システムは、請求項４において、情報配信サーバが、一般広告情報及び店舗情報それぞれの表示時間枠を設定し、それぞれの情報の表示時間が、それぞれの所定時間枠に収まるように該いずれかの情報を選択して設定することを特徴とする。
請求項６に記載の情報配信システムは、請求項１〜５のいずれかにおいて、情報蓄積送出ユニットが、情報表示端末の設置された店舗独自の自店舗情報を登録蓄積し、店舗情報の時間枠内で情報表示端末へ送出することを特徴とする。
請求項７に記載の情報配信システムは、請求項６において、情報蓄積送出ユニットは、店舗情報の表示時間枠において、店舗共通広告情報及び自店舗情報が交互に表示するように設定することを特徴とする。
請求項８に記載の情報配信システムは、請求項１〜７のいずれかにおいて、情報表示端末が、店舗内のサッカー台上に設置されることを特徴とする。
【発明の効果】
【０００６】
本発明の情報配信システムによれば、店舗内において商品の広告や売り出しセールの予告等店舗の情報を効果的に配信することができるので、店舗、ひいては店舗グループ（本発明ではチェーンということがある）全体の売上向上につなげることができる。また、商品やサービス等の一般広告をも配信することにより、商品やサービスの周知を図り、消費者の購買意欲を高めることができる。
【発明を実施するための最良の形態】
【０００７】
本発明の情報配信システムは、図１に示すように、スーパーマーケット、コンビニエンスストア、電気店、ＤＩＹストア、ホームセンター等の店舗グループを形成する店舗のそれぞれに設置される情報蓄積送出ユニットＢ及び情報表示端末Ａ、本発明のシステムを管理する会社のもとにある情報配信サーバＣ、並びにチェーン本部端末Ｄが、ａｒｐａｎｅｔから発展した世界規模のコンピュータ・ネットワークや複数のネットワークを相互に接続したネットワークであるインターネットなどの、ネットワークを使用して接続されるものである。
【０００８】
情報蓄積送出ユニットＢとは、情報表示端末Ａとともに上述のような店舗のそれぞれに設置されるものであり、情報配信サーバＣから配信された一般広告情報及び店舗情報を情報表示端末Ａに送出する。
従って、情報蓄積送出ユニットＢは、ネットワーク接続手段（ＡＤＳＬ、ＦＴＴＨ、ＥｔｈｅｒＮｅｔ、無線ＬＡＮ等）を有し、情報配信サーバＣから配信された一般広告情報及び店舗情報を保存蓄積するとともに、画像などの情報を配信するためのルータと、サーバとのセキュリティを確立するためのＶＰＮ機能及び情報表示端末Ａに送出するための手段を持つことが好ましい。
情報配信サーバＣは、情報蓄積送出ユニットＢに情報を送出するにあたり、情報表示端末Ａにおける情報の表示の順番や表示間隔、一般広告情報及び店舗情報の表示時間枠など、表示条件を設定し編集する機能を備えることが好ましい。
即ち、一般広告情報及び店舗情報を交互に表示するような順番で情報蓄積ユニットＢに送出することができ、この際、一般広告情報及び店舗情報の表示時間枠を設定し、時間枠に収まるように広告情報を選択して編集することが好ましい。例えば、一般広告情報及び店舗情報の各広告情報の表示時間枠は、１時間あたり３０分相当といった設定を行うことができる。なお、一般広告情報及び店舗情報は、店舗別や店舗グループ別にも配信が可能である。
【０００９】
また、情報蓄積送出ユニットＢは、情報表示端末Ａの設置された店舗独自の情報（自店舗情報）を独自に登録蓄積し、店舗情報の時間枠内で送出することが好ましい。例えば、○○店限定の安売りタイムセールの情報を流す場合などが挙げられる。自店舗情報の登録蓄積は、該情報を収めた記録媒体（メモリーカード、メモリースティック等）を利用して行うことができる。
上述のように、一般広告情報及び店舗情報の表示時間枠を設定する場合、店舗情報の表示時間枠において、チェーン店舗共通の広告情報（店舗共通広告情報）及び自店舗情報が交互に表示するように編集することが好ましい。
尚、条件の設定を容易にするために、情報蓄積送出ユニットＢには、実際の情報を表示するための手段（ディスプレイ等）を備えることが好ましい。
【００１０】
このような情報蓄積送出ユニットＢとして、具体的には、例えば図２に示すような情報蓄積送出ユニットＢを用いることができる。
図２の情報蓄積送出ユニットＢは、ディスプレイパネル（ＤＩＳＰＬＡＹ  ＰＡＮＥＬ）１１、カードスロット（ＣＡＲＤ  ＳＬＯＴ）１３、イジェクト（ＥＪＥＣＴ）１５、電源（ＰＯＷＥＲ）１７、及び編集ボタン１９を備えている。また、ＴＣＰ／ＩＰ経由で外部ネットワークと接続が可能であり、情報表示端末ＡへはＲＧＢ（Ｒｅｄ−Ｇｒｅｅｎ−Ｂｌｕｅ）やＮＴＳＣ（Ｎａｔｉｏｎａｌ  Ｔｅｌｅｖｉｓｉｏｎ  Ｓｔａｎｄａｒｄ）方式の出力、デジタル出力が可能である。また、既存のネットワークにも対応している。この場合情報表示端末Ａはパソコン機能を有することが好ましい。また、框体は可能な限りコンパクト、例えば１ＤＩＮサイズカーオーディオ並みであることが好ましい。
ディスプレイパネル１１は、配信されたデータを表示する。ＣＡＲＤ  ＳＬＯＴ１３にメモリーカードを挿入すると、メモリーカード内に収められた情報ファイルもディスプレイパネル１１に表示され、ＥＪＥＣＴ１５を押すとカードスロット（ＣＡＲＤ  ＳＬＯＴ）１３に格納されていたメモリーカードを出すことができる。ディスプレイパネル１１におけるデータ表示は、スライドショースタイルで行うことができ、編集ボタン１９により、表示の順番、表示間隔、表示時間枠等の設定が可能である。
尚、情報蓄積送出ユニットＢの基本システムは、ＲＯＭに格納されており、システムアップデートも可能であることが好ましい。また、電源１７のオンオフは、タイマーで制御することができる。
【００１１】
また、情報蓄積送出ユニットＢの他の例としては、メモリースティック（商標）スロットを搭載したものを挙げることができる。すなわち、情報蓄積送出ユニットＢは、メモリースティック（商標）を直接挿入できるスロットを本体に搭載しており、デジタルカメラやデジタルビデオなどで撮影して編集・作成した自店舗情報を記憶させたメモリースティック（商標）を挿入することにより情報表示端末Ａの液晶画面に自店舗独自の情報（画像等）を表示できるので、ケーブル接続や情報のプリントアウトをすることなく手軽に情報表示端末Ａに自店舗情報を表示することができる。
また、情報表示端末Ａとして、例えば、ＴＦＴ液晶モニターを搭載したものは、自店舗情報（ＪＰＥＧ静止画／ＭＰＥＧムービーなど）を、鮮明な画像として再生し確認することができる。
さらに、複数の画像を短時間に連続して映し出すスライドショー再生機能をも備えさせたり、縦方向と横方向の画像が混在する場合には、任意の画像をマニュアル操作で９０度ずつ回転させ、方向を合わせることができる機能を持たせることも好ましい。
【００１２】
情報表示端末Ａとは、上述のような店舗のそれぞれに設置されるものであり、情報配信サーバＣから送出された一般広告情報及び店舗情報を表示する端末をいう。
従って、情報表示端末Ａは、動画、静止画等の広告情報を表示するためのディスプレイ（液晶など）、画像再生、画像記憶のための機能を備えるものであることが必要である。
一般広告情報は、システム管理機構（情報配信サーバ）が予め募集したものであり、例えば、飲料、食品メーカーの広告や、英会話学校や人材派遣の登録募集等の広告などを挙げることができる。
一方、店舗情報とは、チェーンを形成する店舗に共通の情報（例えば、チェーン本部の広告）や、各店舗共通の売出し商品及びその日程などの広告情報を意味する。例えば、日替わりセールとして「○○日：たまご１パック１００円」、「◇◇日：しょうゆ１．５リットル１００円」などを挙げることができる。また、店舗の定休日、季節キャンペーン告知、などの情報も配信することも好ましい。
情報表示端末Ａで表示される一般広告情報の形式は、静止画であっても良いし、動画であっても良い。また、音声入りであっても良い。画像の保存形式としては、例えば、静止画の場合、ＪＰＥＧ等を、動画の場合、ＭＰＥＧムービー、ＳＷＦムービー（フラッシュ）等を挙げることができる。
【００１３】
情報表示端末Ａの店舗内における設置位置は、客の注目を集め且つ見えやすい位置であることが好ましく、例えば、サッカー台（レジ通過後に袋詰めする台）やレジの上、店舗入り口などとすることができる。サッカー台に設置する場合、画像を表示するためのディスプレイのほかに、フレッシュホルダーやテープカッターを備えるものとすることが好ましい。
情報表示端末Ａの設置台数は、１台に限られず、２台以上であっても良い。また、情報表示端末Ａ自体が１つ又はそれ以上のディスプレイを備えているものであっても良い。表示機能を有するパソコン端末であってもよい。
サッカー台に設置される情報表示端末Ａの一例を図３〜５に示す。図３は側面図を、図４は上面図を示し、図５は複数台を連結させた場合（ディージーチェーン）の例を示す。
ディスプレイ２１、テープカッター２５等と一体化したフレッシュホルダー２３を備えており、底面サイズは３０ｃｍ×３０ｃｍ程度とし、底面でサッカー台にビス固定されている。
ディスプレイ２１は、７〜１０インチ程度のＴＦＴ液晶ディスプレイを用いることが好ましく、４ディスプレイタイプ（１サッカー台に４台のディスプレイを設置）と１ディスプレイタイプの２種がある。４ディスプレイタイプは、１系統の映像入力で４画面を表示することができる。
図５に示すように、ディージーチェーン２７で情報表示端末Ａの追加が可能である。尚、情報表示端末Ａの電源は、情報蓄積送出ユニットＢと連動するものとすることができる。また、情報表示端末Ａを無線ＬＡＮで接続することもでき、この場合は、電源ケーブルのみの施工で運用が可能である。
さらに、情報表示端末Ａを無線ＬＡＮで接続することにより、店舗内の任意の場所に任意の画面サイズで設置が可能となり、情報表示端末Ａの設置の自由度が高まり、かつ、施工費の圧縮が可能となる。
【００１４】
情報配信サーバＣとは、一般広告情報及び店舗情報を保存蓄積し、該情報をネットワークを使って情報蓄積送出ユニットＢに配信する手段である。
従って、画像を保存蓄積するための十分な容量を有するデータベースを備えると共に、画像などの情報を配信するためのＶＰＮルータなどの手段を備えることが好ましい。
一般広告情報の保存蓄積は、商品メーカーなど広告の表示を希望する企業から情報をネットワークなどを介して送信されたものを、システム管理機構のデータベース（情報配信サーバＣ）に保存蓄積することができ、また、広告主（広告クライアント）の要望に応じて、システム管理機構やその他で作成したものを保存蓄積することもできる。
店舗情報の保存蓄積は、チェーン本部端末Ｄからネットワークなどの手段により送信された情報をそのままデータベースに登録することができ、また、該チェーン本部の要望に応じて本発明のシステムを管理する会社（システム管理機構）その他で作成したものを保存蓄積することもできる。
また、店舗情報は、定期的に（好ましくは、１日単位程度の短期間で）新しいものに書き換えられることとなるが、この場合、古い情報はすべて履歴として保存してもよいし、一定期間（例えば、１か月間）保存してもよい。尚、本実施の形態においては、古い店舗情報は、１日単位で書き換えることとする。
【００１５】
情報蓄積送出ユニットＢへの配信のため、情報配信サーバＣは、チェーンを形成する全店舗の情報蓄積送出ユニットＢのアドレスをデータベースに読み出し可能に保存蓄積していることが好ましい。
また、情報配信サーバＣは、店舗ごとに配信する情報を変えることも可能であり、その場合には、どの情報をどの店舗に送出するかを、予め設定しておくことが必要である。
尚、複数のチェーン本部に対し、本発明の情報配信システムのサービスを提供する場合には、それぞれのチェーン本部に配信する情報及びチェーン店舗の情報送出ユニットのアドレスを、別々のデータベースに保存するなどして、チェーン本部毎に機動的に読み出し可能とすることが好ましい。
【００１６】
チェーン本部端末Ｄは、店舗情報をネットワークを介して、システム管理機構の情報配信サーバＣに送信する。従って、送信手段を備えていることが必要である。
このようなチェーン本部端末Ｄは、チェーン本部、すなわちチェーン店を統括する本部の下に設置される。
【００１７】
本発明の情報配信システムを用いて、情報蓄積送出ユニットから送出された一般広告情報及び店舗情報が情報表示端末で表示される例を以下に述べる。図６は、タイムテーブルのサンプルの概略を示した説明図である。図６の（ａ）は、一般広告情報６種類（ＡＤ−１〜ＡＤ−６）及びチェーン共通の店舗情報４種類（Ｃｌ−１〜Ｃｌ−４）を交互に表示させるパターンである。
このパターンでは、情報配信サーバＣは、一般広告情報及び店舗情報それぞれの表示時間枠で設定されたタイムテーブルに従い、それぞれの情報の表示時間内で、それぞれの所定時間枠に収まるように、それぞれの情報が交互に表示させる。
図６の（ｂ）は、一般広告情報６種類（ＡＤ−１〜ＡＤ−６）、チェーン共通の店舗情報４種類（Ｃｌ−１〜Ｃｌ−４）及び店舗独自の自店舗情報２種類（Ｓｌ−１〜Ｓｌ−２）を表示させるパターンである。
このパターンでは、情報配信サーバＣは、予め設定されたタイムテーブルに従い、店舗情報の表示時間枠で、チェーン共通の店舗情報４種類（Ｃｌ−１〜Ｃｌ−４）及び店舗独自情報２種類（Ｓｌ−１〜Ｓｌ−２）を、店舗情報の時間枠内で表示させる。
図６の（ｃ）は、一般広告情報６種類（ＡＤ−１〜ＡＤ−６）、チェーン共通の店舗情報１種類（Ｃｌ−１）を表示させるパターンである。
このパターンでは、一般広告情報の時間枠が大きく取られており、情報配信サーバＣは、まず、一般広告情報６種類（ＡＤ−１〜ＡＤ−６）を予め設定されたタイムテーブルに従い、順に表示させ、店舗情報の表示時間枠が少ないため、チェーン共通の店舗情報１種類（Ｃｌ−１）を、店舗情報の時間枠内で表示させる。
【００１８】
本発明のシステムのプロセスについて、図７及び図８を参照しながら説明する。図７は本発明の情報配信システムにおけるデータの一連の流れの一例を示す図であり、図８は、本発明の情報配信システムの手順の一例を示すフローチャートである。
まず、チェーン本部のチェーン本部端末Ｄは、新規又は更新した店舗情報をネットワークを介して情報配信サーバＣに送信する（ステップ１０１）。
次に、情報配信サーバＣは、送信されたチェーン本部について、情報配信サーバＣ内に保存蓄積されているデータベースを検索抽出し（ステップ１０２）、抽出できた場合は（ステップ１０３のＹｅｓ）、送信された店舗情報を新規保存又は更新保存する（ステップ１０４）。
抽出できなかった場合は（ステップ１０３のＮｏ）、処理を終了する。続いて、チェーンを構成するチェーン全店舗の情報蓄積送出ユニットＢのアドレスを読み出し（ステップ１０５）、読み出したアドレスに一般広告情報及び店舗情報を送出する（ステップ１０６）。情報蓄積送出ユニットＢは、一般広告情報及び店舗情報を受信すると（ステップ１０７）、情報配信サーバで設定したとおり、一般広告情報及び店舗情報を情報表示端末Ａに送信して表示させる（ステップ１０８）。
ここで、自店舗情報を表示させたい場合は（ステップ１０９のＹｅｓ）、自店舗情報を記録させた記録媒体を情報蓄積送出ユニットＢに挿入して情報を登録蓄積し（ステップ１１０）、店舗情報の表示時間枠内において、店舗共通広告情報及び自店舗情報が交互に表示するように設定する（ステップ１１１）。
自店舗情報を表示させない場合は（ステップ１０９のＮｏ）、そのままステップ１１２に進む。
続いて、情報表示端末Ａにおいて既に情報表示が行われている場合は（ステップ１１２のＹｅｓ）、情報蓄積送出ユニットＢが情報表示を更新してから（ステップ１１３）、情報表示端末Ａに所定の広告情報が表示される（ステップ１１４）。
一方、情報表示端末Ａにおいて情報表示が行われていなかった場合は（ステップ１１２のＮｏ）、そのままステップ１１４に進む。
【００１９】
一方、情報配信サーバＣが、一般広告情報をネットワークを介して受信した場合は（ステップ２０１）、一般広告情報を保存し（ステップ２０２）、全ての情報蓄積送出ユニットＢの中から配信すべきアドレスを読み出し（ステップ２０３）、読み出したアドレスに、一般広告情報及び店舗情報を送出し（ステップ１０６）、同様にステップ１０７以降に進む。
【産業上の利用可能性】
【００２０】
本発明の情報配信システムによれば、店舗内において、一般広告と共に、チェーン本部からの売り出しセールの予告等、店舗情報を配信することができるので、商品やサービスの周知を図り、消費者の購買意欲を高めることができる。
また、チェーン本部では一般広告収入が得られ、各店舗では広告表示の手間が不要となり、チェーン本部、ひいてはチェーン全体の売上向上につなげることができる。
【図面の簡単な説明】
【００２１】
【図１】本発明の情報配信システムの全体構成を示す模式図である。
【図２】情報蓄積送出ユニットＢの一例を示す図である。
【図３】サッカー台に設置される情報表示端末Ａの側面図を示す。
【図４】サッカー台に設置される情報表示端末Ａの上面図を示す。
【図５】情報表示端末Ａを複数台連結させた場合の例を示す。
【図６】情報蓄積送出ユニットから送出された一般広告情報及び店舗情報が情報表示端末で表示されるパターン例の説明図である。
【図７】本発明の情報配信システムにおけるデータの一連の流れの一例を示す図である。
【図８】本発明の情報配信システムの手順の一例を示すフローチャートである。
【符号の説明】
【００２２】
Ａ  情報蓄積送出ユニット
Ｂ  情報表示端末
Ｃ  情報配信サーバ
Ｄ  チェーン本部端末
１１  ディスプレイパネル
１３  カードスロット
１５  ＥＪＥＣＴ
１７  電源
１９  編集ボタン
２１  ディスプレイ
２３  フレッシュホルダー
２５  テープカッター
【図１】
2006018609.tif 000003
【図２】
2006018609.tif 000004
【図３】
2006018609.tif 000005
【図４】
2006018609.tif 000006
【図８】
2006018609.tif 000007
【図５】
2006018609.tif 000008
【図６】
2006018609.tif 000009
【図７】
2006018609.tif 000010